(57)【特許請求の範囲】
【請求項１】
基準ソースからの下りＰＳＤ（パワースペクトル密度）とのスペクトル適合性をＦＴＴＮ（ファイバ・トゥ・ザ・ノード）ダウンストリームビクティムにおいて達成するためにディスターバソースからのＦＴＴＮ下り信号のＰＳＤを形成する方法であって、
前記基準ソースから前記下りＰＳＤを受取るステップと、
前記ディスターバソースから形成されていない下りＰＳＤを受取るステップと、
前記基準ソースからの前記下りＰＳＤと実質的に等価の、前記ＦＴＴＮダウンストリームビクティムへのＦＥＸＴ（遠端漏話）を有するように前記ＦＴＴＮ下り信号の前記ＰＳＤを形成するステップとを備え、
前記基準ソースは、ＦＴＴＢ（ファイバ・トゥ・ザ・ビルディング）システムにあり、前記ディスターバソースは、ＦＴＴＮシステムにあり、
形成するステップは以下を使用し、
【数１】
0004538673.tif 000016
γSM2（ｆ）は前記ＦＴＴＮ下り信号の形成されたＰＳＤであり、γM1（ｆ）は前記基準ソースからの前記下りＰＳＤであり、γM2（ｆ）は前記ディスターバソースからの前記形成されていない下りＰＳＤであり、Ｌは前記ディスターバソースから前記基準ソースまでの距離であり、Ｂは前記ＦＴＴＮダウンストリームビクティムから前記基準ソースまでの距離であり、ｆは前記ＦＴＴＮ下り信号の周波数であり、Ｈ（ｆ，Ｌ）は周波数が前記ｆに等しくかつ長さが前記Ｌに等しいケーブルの伝達関数である、方法。
【請求項２】
前記ディスターバソースはＦＴＴＮキャビネットに位置する、請求項１に記載の方法。
【請求項３】
前記基準ソースは建物に位置する、請求項１に記載の方法。
【請求項４】
前記ＦＴＴＮ下り信号は、ＤＳＬモデムによって前記ディスターバソースから伝送される、請求項１に記載の方法。
【請求項５】
前記ＤＳＬモデムはＶＤＳＬモデムである、請求項４に記載の方法。
【請求項６】
前記基準ソースは、建物におけるＦＴＴＢキャビネットに位置する、請求項１に記載の方法。
【請求項７】
前記下りＰＳＤは、ＶＤＳＬモデムによって前記基準ソースから伝送される、請求項１に記載の方法。
【請求項８】
建物におけるＦＴＴＢキャビネットに位置する第２のソースからの下りＰＳＤとのスペクトル適合性をＦＴＴＮダウンストリームビクティムにおいて達成するためにＦＴＴＮキャビネットに位置する第１のソースからのＦＴＴＮ下り信号のＰＳＤを形成する方法であって、
前記ＦＴＴＢキャビネットに位置する前記第２のソースから前記下りＰＳＤを受取るステップと、
前記ＦＴＴＮキャビネットに位置する前記第１のソースから形成されていない下りＰＳＤを受取るステップと、
以下を使用して前記ＦＴＴＮ下り信号の前記ＰＳＤを形成するステップとを備え、
【数２】
0004538673.tif 000017
γSM2（ｆ）は前記ＦＴＴＮ下り信号の形成されたＰＳＤであり、γM1（ｆ）は前記ＦＴＴＢキャビネットに位置する前記第２のソースからの前記下りＰＳＤであり、γM2（ｆ）は前記ＦＴＴＮキャビネットに位置する前記第１のソースからの前記形成されていない下りＰＳＤであり、Ｌは前記ＦＴＴＢキャビネットから前記建物までの距離であり、Ｂは前記建物の中の前記ＦＴＴＮダウンストリームビクティムから前記ＦＴＴＢキャビネットまでの距離であり、ｆは前記ＦＴＴＮ下り信号の周波数であり、Ｈ（ｆ，Ｌ）は周波数が前記ｆに等しくかつ長さが前記Ｌに等しいケーブルの伝達関数である、方法。
【請求項９】
前記ＦＴＴＮ下り信号の前記形成されたＰＳＤは、前記建物における前記ＦＴＴＮキャビネットからの前記下りＰＳＤと実質的に等価の、前記建物の中の前記ＦＴＴＮダウンストリームビクティムへのＦＥＸＴ（遠端漏話）を有する、請求項８に記載の方法。
【請求項１０】
前記ＦＴＴＮキャビネットからの前記ＦＴＴＮ下り信号は、前記ＦＴＴＮキャビネットにおけるＤＳＬモデムによって伝送される、請求項８に記載の方法。
【請求項１１】
前記ＤＳＬモデムはＶＤＳＬモデムである、請求項１０に記載の方法。
【請求項１２】
前記ＦＴＴＢキャビネットからの前記下りＰＳＤは、ＶＤＳＬモデムから受取られる、請求項８に記載の方法。
【請求項１３】
基準ソースからの下りＰＳＤとのスペクトル適合性をＦＴＴＮダウンストリームビクティムにおいて達成するためにディスターバソースからのＦＴＴＮ下り信号の形成されたＰＳＤを生成するための装置であって、
前記装置は、前記基準ソースから前記下りＰＳＤを受取るよう構成可能であって、
前記装置はさらに、前記ディスターバソースから形成されていない下りＰＳＤを受取るよう構成可能であって、
前記装置はさらに、前記基準ソースからの前記下りＰＳＤと実質的に等価の、前記ＦＴＴＮダウンストリームビクティムへのＦＥＸＴを有するように前記ＦＴＴＮ下り信号の前記形成されたＰＳＤを生成するよう構成可能であり、
前記基準ソースは、ＦＴＴＢ（ファイバ・トゥ・ザ・ビルディング）システムにあり、前記ディスターバソースは、ＦＴＴＮシステムにあり、
前記装置は、以下を使用して前記ＦＴＴＮ下り信号の前記形成されたＰＳＤを生成し、
【数３】
0004538673.tif 000018
γSM2（ｆ）は前記ＦＴＴＮ下り信号の前記形成されたＰＳＤであり、γM1（ｆ）は前記基準ソースからの前記下りＰＳＤであり、γM2（ｆ）は前記ディスターバソースからの前記形成されていない下りＰＳＤであり、Ｌは前記ディスターバソースから前記基準ソースまでの距離であり、Ｂは前記ＦＴＴＮダウンストリームビクティムから前記基準ソースまでの距離であり、ｆは前記ＦＴＴＮ下り信号の周波数であり、Ｈ（ｆ，Ｌ）は周波数が前記ｆに等しくかつ長さが前記Ｌに等しいケーブルの伝達関数である、装置。
【請求項１４】
前記装置はＤＳＬモデムである、請求項１３に記載の装置。
【請求項１５】
前記ＤＳＬモデムはＶＤＳＬモデムである、請求項１４に記載の装置。
【請求項１６】
前記ディスターバソースはＦＴＴＮキャビネットに位置する、請求項１３に記載の装置。
【請求項１７】
前記基準ソースは、建物におけるＦＴＴＢキャビネットに位置する、請求項１３に記載の装置。
【請求項１８】
前記下りＰＳＤは、ＤＳＬモデムによって前記基準ソースから伝送される、請求項１３に記載の装置。
【発明の詳細な説明】
【技術分野】
【０００１】
関連出願
本出願は、２００６年４月６日に出願された米国仮出願番号第６０／７８９，８５０号に基づき、その優先権を主張する。
【０００２】
発明の背景
１．発明の分野
本発明は概してデジタル加入者線（Digital Subscriber Line）（ＤＳＬ）システムに関し、より具体的にはＤＳＬシステムにおけるスペクトル形成に関する。
【背景技術】
【０００３】
２．背景技術
超高ビットレート（Very high bit-rate）ＤＳＬ（ＶＤＳＬ）サービスなどのＤＳＬ（デジタル加入者線）サービスは典型的には、建物の近くに位置するキャビネットから配置されたＤＳＬシステムを介して、または建物の中に位置するキャビネットから配置されたＤＳＬシステムを介して、建物に位置するＤＳＬユーザに対して与えられることができる。建物の近くに位置するキャビネットから配置されたＤＳＬシステムでは、ファイバは概してキャビネットに配置され、これは典型的にはファイバ・トゥ・ザ・ノード（Fiber-To-The-Node）（ＦＴＴＮ）配置と称される。建物の中に位置するキャビネットから配置されたＤＳＬシステムでは、ファイバは概して建物の中のキャビネットに配置され、これは典型的にはファイバ・トゥ・ザ・ビルディング（Fiber-To-The-Building）（ＦＴＴＢ）配置と称される。しかしながら、ＦＴＴＮ配置を利用するＤＳＬシステム（すなわち、ＦＴＴＮ  ＤＳＬシステム）用のケーブル、およびＦＴＴＢ配置を利用するＤＳＬシステム（すなわち、ＦＴＴＢ  ＤＳＬシステム）用のケーブルは典型的には、建物の中で同一の多対ケーブルを共有する。その結果、それぞれのＦＴＴＮ  ＤＳＬシステムおよびＦＴＴＢ  ＤＳＬシステムにおける下り信号同士の間でＦＥＸＴ（Far-End Cross-Talk）（遠端漏話）などの干渉が発生する可能性があり、これは２つのシステム同士の間のスペクトル不適合問題を引起こす可能性がある。
【発明の開示】
【発明が解決しようとする課題】
【０００４】
ＦＴＴＮ  ＤＳＬシステムにおける下り信号（すなわち、ＦＴＴＮ下り信号）は、建物の外側に位置するキャビネットにあるＤＳＬモデム（たとえば、ＶＤＳＬモデム）から生じるのに対して、ＦＴＴＢ  ＤＳＬシステムにおける下り信号（すなわち、ＦＴＴＢ下り信号）は、建物内部のキャビネットにあるＤＳＬモデム（たとえば、ＶＤＳＬモデム）から生じる。その結果、ＦＴＴＢ下り信号は典型的には、ＦＴＴＮ下り信号がＦＴＴＢ下り信号に導入するよりも高いレベルの干渉をＦＴＴＮ下り信号に導入する。ＦＴＴＢ下り信号によってＦＴＴＮ下り信号に導入される干渉のレベルを低減してＦＴＴＮ  ＤＳＬシステムとＦＴＴＢ  ＤＳＬシステムとの間のスペクトル適合性を保証するために、ＦＴＴＢ
ＤＳＬシステムはＦＴＴＢ下り信号のスペクトルを適切に形成するようにダウンストリームパワーバックオフ（downstream power back-off）（ＤＰＢＯ）などの技術を利用しなければならない可能性がある。しかしながら、日本に存在する状況などのいくつかの状況では、建物内のＦＴＴＢ  ＤＳＬシステムはいずれの下り信号スペクトル形成技術も利用する必要がないかもしれない。したがって、同一の建物の中のＤＳＬユーザにサービス
を提供するＦＴＴＮ  ＤＳＬシステムとＦＴＴＢ  ＤＳＬシステムとの間のスペクトル適合性を保証する方法が当該技術分野において必要である。
【課題を解決するための手段】
【０００５】
発明の概要
ファイバ・トゥ・ノードの用途のためのダウンストリームパワーバックオフに関して、実質的には図面の少なくとも１つに関連して示しおよび／または記載し、特許請求の範囲でより完全に説明する。
【０００６】
本発明の特徴および利点は、以下の詳細な説明および添付の図面を検討した後に当業者により容易に明らかになるだろう。
【発明を実施するための最良の形態】
【０００７】
発明の詳細な説明
本発明は特定の実施例に関して記載されるが、本明細書に添付された特許請求の範囲によって規定される本発明の原理は明らかに、本明細書に記載される本発明の具体的に説明される実施例を超えて適用されることが可能である。さらに、本発明の説明では、本発明の発明の局面を曖昧にしないように特定の詳細は割愛されている。割愛された詳細は当業者の知識の範囲内である。
【０００８】
本出願における図面およびその添付の詳細な説明は、本発明の単なる例示的な実施例に向けられている。簡潔さを維持するために、本発明の原理を使用する本発明の他の実施例について、本出願では具体的に記載せず、本発明の図面によって具体的に示していない。指示がない限り図面中の同様のまたは対応する要素は同様のまたは対応する参照数字によって示され得ることを念頭に置くべきである。
【０００９】
図１は、本出願の一実施例による、建物１０２の中のＤＳＬユーザにＤＳＬサービスを与えるためのＤＳＬサービスシステム１００を示す。図１に示されるように、ＤＳＬサービスシステム１００は、ＦＴＴＮ（ファイバ・トゥ・ザ・ノード）ＤＳＬシステム１０４およびＦＴＴＢ（ファイバ・トゥ・ザ・ビルディング）ＤＳＬシステム１０６を含み、ＦＴＴＮ  ＤＳＬシステム１０４およびＦＴＴＢ  ＤＳＬシステム１０６は、建物１０２に位置するＤＳＬユーザ１０８および１１０などのそれぞれのＤＳＬユーザにＶＤＳＬ（超高ビットレートデジタル加入者線）サービスなどのＤＳＬサービスを与える。さらに図１に示されるように、ＦＴＴＮキャビネットＣ１，Ｃ２，...，Ｃｋ，...，ＣＮ−１，ＣＮ（以下、ＦＴＴＮキャビネット「Ｃ１からＣＮ」）は各々、建物１０２から公知の距離に位置する。本出願では、ＦＴＴＮキャビネットは「ディスターバソース（disturber source）」とも称される。たとえば、ＦＴＴＮキャビネットＣｋは建物１０２から距離Ｌに位置する。たとえば、ＦＴＴＮキャビネットＣ１からＣＮの各々は、建物１０２から距離Ｄの整数の倍数に位置し得る。たとえば、距離Ｄは実質的には５０メートルに等しい可能性がある。たとえばＦＴＴＮキャビネットＣ１からＣＮの各々が建物１０２から距離Ｄの整数の倍数に位置する場合、距離Ｌは実質的にはｋＤに等しい可能性がある。一実施例では、ＦＴＴＮキャビネットＣ１からＣＮは、距離Ｌ、つまりＦＴＴＮキャビネットＣｋと建物１０２との間の距離がｋＤに等しくならないように不均一に間隔をあけられる。
【００１０】
図１にも示されるように、ファイバは、ＦＴＴＮキャビネットＣＮに位置するフィーダ（供給）ポイント１１２に設けられることができる。ＦＴＴＮキャビネットＣｋなどのＦＴＴＮキャビネットＣ１からＣＮの各々は、建物１０２の中のＤＳＬユーザ１０８などの１人以上のＤＳＬユーザにＤＳＬサービスを与えるために、ＦＴＴＮ  ＤＳＬシステム１０４などのＦＴＴＮ  ＤＳＬシステムにＶＤＳＬモデムなどのＤＳＬモデムを配置するためのノードまたはフィーダ（供給）ポイントを与えることができる。さらに図１に示され
るように、距離Ｂは、ＦＴＴＮ  ＤＳＬシステム１０４などのＦＴＴＮ  ＤＳＬシステム用のケーブルが建物に入るポイントから、ＦＴＴＮ  ＤＳＬシステムにおけるＤＳＬユーザ１０８などのＤＳＬエンドユーザまでの距離である。本出願では、ＦＴＴＮ  ＤＳＬシステムにおけるＤＳＬエンドユーザは、「ＦＴＴＮダウンストリームビクティム（downstream victim）」とも称される。たとえば、距離Ｂは５０メートルにおよそ等しい可能性がある。
【００１１】
図１にも示されるように、ファイバ１１４は、建物１０２に位置し得るＦＴＴＢ（ファイバ・トゥ・ザ・ビルディング）キャビネット１１６に配置される。本出願では、ＦＴＴＢキャビネットは「基準ソース」とも称される。たとえば、ＦＴＴＢキャビネット１１６は建物１０２の地階に位置し得る。ＦＴＴＢキャビネット１１６は、建物１０２の中のユーザ１１０などの１人以上のユーザにＤＳＬサービスを与えるために、ＦＴＴＢ  ＤＳＬシステム１０６などのＦＴＴＢ  ＤＳＬシステムにＶＤＳＬモデムなどのＤＳＬモデムを配置するためのノードまたはフィーダ（供給）ポイントを与えることができる。さらに図１に示されるように、距離Ｂは、ＦＴＴＢキャビネット１１６におけるフィーダ（供給）ポイントから、ＦＴＴＢ  ＤＳＬシステム１０６におけるＤＳＬユーザ１１０などのＤＳＬエンドユーザまでの距離でもある。
【００１２】
ＤＳＬサービスシステム１００では、ＦＴＴＮ  ＤＳＬシステムにおけるＦＴＴＮキャビネットＣ１からＣＮの１つ以上からのツイストペアケーブルなどのケーブルは典型的には、ＦＴＴＢ  ＤＳＬシステム１０６におけるＦＴＴＢキャビネット１１６からのツイストペアケーブルなどのケーブルも含む大型の多対ケーブル（破線の楕円１１８によって示される）の状態で建物１０２に配線される。たとえば、ＤＳＬユーザ１０８にサービスを提供するようにＦＴＴＮ  ＤＳＬシステム１０４におけるＶＤＳＬモデムによって使用されるＦＴＴＮキャビネットＣｋからのツイストペアケーブルは、ＤＳＬユーザ１１０にサービスを提供するようにＦＴＴＢ  ＤＳＬシステム１０６におけるＶＤＳＬモデムによって使用されるＦＴＴＢキャビネット１１６からのツイストペアケーブルも含む多対ケーブルの状態で配線され得る。ＤＳＬサービスシステム１００では、ＦＴＴＮ  ＤＳＬシステム１０４におけるＤＳＬユーザ１０８などのＤＳＬユーザおよびＦＴＴＢ  ＤＳＬシステム１０６におけるＤＳＬユーザ１１０などのＤＳＬユーザは、建物１０２の中で互いに比較的近くにいる可能性がある。
【００１３】
ＦＴＴＮ  ＤＳＬシステムおよびＦＴＴＢ  ＤＳＬシステムからのケーブルが建物１０２において多対ケーブルを共有し得るので、ＦＴＴＮ  ＤＳＬシステムにおけるＦＴＴＮキャビネットの中のＤＳＬモデムからの下りＶＤＳＬ信号などの下り信号と、ＦＴＴＢ  ＤＳＬシステムにおけるＦＴＴＢキャビネットの中のＤＳＬモデムからの下りＶＤＳＬ信号などの下りＤＳＬ信号との間で干渉が発生する可能性がある。たとえば、ＦＥＸＴ（遠端漏話）は、ＦＴＴＮ  ＤＳＬシステムにおける下り信号（すなわち、ＦＴＴＮ下り信号）からＦＴＴＢ  ＤＳＬシステムにおける下り信号（すなわち、ＦＴＴＢ下り信号）に、およびその逆に導入され得る干渉の一種である。しかしながら、建物の外側のＦＴＴＮキャビネットから生じるＦＴＴＮ下りＤＳＬ信号は典型的には、建物に入るより前に大幅な減衰が信号に発生し得る結果、建物内でパワーが低減されている。その結果、建物内部のＦＴＴＢキャビネットから生じるＦＴＴＢ下り信号は、ＦＴＴＮ下り信号がＦＴＴＢ下り信号に導入し得るＦＥＸＴの量と比較して、より多くの量のＦＥＸＴをＦＴＴＮ下り信号に導入し得る。
【００１４】
建物におけるＦＴＴＮ下り信号とＦＴＴＢ下り信号との間のパワーの差は、ＦＴＴＢ  ＤＳＬシステムにＤＳＬサービスを与えるサービスプロバイダが、建物の外側で生じるＦＴＴＮ下りＤＳＬ信号に準拠するようにＦＴＴＢ下り信号のスペクトルを適切に形成することによってより低いパワーで伝送するように求めることによって調整され得る。しかし
ながら、上のアプローチは、ＦＴＴＢ下り信号を与えるサービスプロバイダが、日本に存在し得る状況などの、いかなるスペクトル形成ももたらす必要がない状況では機能しない。本発明は、ＦＴＴＢ下り信号のスペクトルの形成が必要とされない建物においてＦＴＴＢ下りＶＤＳＬ信号などのＦＴＴＢ下り信号とのスペクトル適合性をもたらすためにＦＴＴＮ下りＶＤＳＬ信号などのＦＴＴＮ下り信号のパワースペクトル密度（Power Spectrum
Density）（ＰＳＤ）を形成するＤＰＢＯ（ダウンストリームパワーバックオフ）方法を提供する。
【００１５】
ＦＴＴＮ  ＤＳＬシステムにおいてＦＴＴＮ下り信号のＰＳＤを形成する本発明の方法の実施例では、以下の仮定が適用され得る。
【００１６】
・建物（たとえば、図１の建物１０２の中のＦＴＴＢキャビネット１１６）における下りＰＳＤは、２００６年２月のＩＴＵ−Ｔ勧告Ｇ．９９３．２「超高速デジタル加入者線トランシーバ２（ＶＤＳＬ２）（Very high speed digital subscriber line transceivers 2 (VDSL2)）」における表Ｃ−１に基づいている（これは、ＡＴＳスタンダード２００６年６月１日のＴ１．４２４−２００４「ネットワークと顧客インストレーションとのインターフェイス、超高ビットレートデジタル加入者線（ＶＤＳＬ）、メタリックインターフェイス（ＤＭＴベース）（Interface between Networks and Customer Installation; Very-high-bit-rate Digital Subscriber Lines (VDSL); Metallic Interface (DMT Based)）」の表５におけるＦＴＴＣａｂ用のマスクＭ１と等価であり、３０ＭＨｚの帯域プランに合うように拡張される）。下りＰＳＤの最大伝送パワーは１１ｄＢｍである。パワーバックオフはこの建物には適用されない。
【００１７】
・キャビネット（たとえば、図１におけるＦＴＴＮキャビネットＣ１からＣＮ）における下りＰＳＤは、Ｔ１．４２４−２００４の表５におけるマスクＭ２  ＦＴＴＣａｂに基づいており、３０ＭＨｚの帯域プランに合うように拡張される。これは、建物の配置に適用されるパワーバックオフ規則がない場合にキャビネットにおいて必要とされるわずかに増強されたマスクである。Ｍ２  ＰＳＤの最大伝送パワーは、ＩＴＵ−Ｔ勧告Ｇ．９９３．２におけるプロファイル３０ａの要件当たり１４．５ｄＢｍに制限される。
【００１８】
・キャビネット（たとえば、図１におけるＦＴＴＮキャビネットＣ１からＣＮ）の距離は、実質的には５０メートルに等しいＤの整数の倍数である。図１における距離Ｂも実質的には５０メートルに等しい。
【００１９】
【数１】
0004538673.tif 000002
【００２０】
【数２】
0004538673.tif 000003
【００２１】
【数３】
0004538673.tif 000004
【００２２】
【数４】
0004538673.tif 000005
【００２３】
【数５】
0004538673.tif 000006
【００２４】
【数６】
0004538673.tif 000007
【００２５】
【数７】
0004538673.tif 000008
【００２６】
【数８】
0004538673.tif 000009
【００２７】
【数９】
0004538673.tif 000010
【００２８】
式（４）に表わされるＤＰＢＯ（ダウンストリームパワーバックオフ）形成規則は、２００６年２月１７日、スイス、ジュネーブのＴＤ２１０Ｒｅｖ１（ＰＬＥＮ／１５）の仕様書Ｇ．９９７．１「（同意のための）原案改訂勧告Ｇ．９９７．１（ｒｅｖ３）（Draft revised Recommendation G.997.1 (rev3) (for consent)）」に規定される形式でも表わされることができる。仕様書Ｇ．９９７．１に規定される形式に従って、ＦＴＴＮキャビネットに配置されるべきＦＴＴＮ  ＤＰＢＯ  ＰＳＤは以下のように規定され得る。
【００２９】
【数１０】
0004538673.tif 000011
【００３０】
【数１１】
0004538673.tif 000012
【００３１】
【表１】
0004538673.tif 000013
【００３２】
したがって、上述のように、本発明は、ＦＴＴＮ  ＤＳＬシステムにダウンストリームパワーバックオフ（ＤＰＢＯ）形成方法を提供し、ＦＴＴＮ  ＤＳＬシステムでは、ＦＴＴＢキャビネット（すなわち、建物内に位置するキャビネット）に位置するかまたはＦＴＴＮキャビネット（すなわち、ＦＴＴＮ  ＤＳＬシステムにおいて建物の外側に位置するキャビネット）内に位置する電話局ＤＳＬモデム（たとえば、ＶＤＳＬモデム）が、建物の中のＤＳＬエンドユーザにサービスを提供する。本発明のＤＰＢＯ形成方法では、ＦＴＴＢキャビネットに配置されるＤＳＬモデム（たとえば、ＶＤＳＬモデム）は、ＦＴＴＮキャビネットから生じ、同一のケーブルを共有して建物に入るＤＳＬ信号（たとえば、ＶＤＳＬ信号）とのスペクトル適合性をもたらすためにいかなるＤＰＢＯ方法も使用しないと仮定される。ＦＴＴＢ  ＤＳＬシステムにおけるＤＳＬモデムがＤＰＢＯ技術を使用しないので、ＤＳＬモデムは建物に入るＦＴＴＮ下り信号に大量のＦＥＸＴ（遠端漏話）を導入する可能性があり、スペクトル不適合をもたらす。
【００３３】
建物に入るＦＴＴＮ下り信号についてのスペクトル適合性を達成するために、ＦＴＴＮキャビネットにおけるＤＳＬモデムは、ＦＴＴＢキャビネットにおけるＤＳＬモデムからのＦＴＴＢ下り信号よりも伝送パワーがわずかに高い下り信号を伝送するよう構成されることができ、ＦＴＴＮキャビネットにおけるＤＳＬモデムは、ＦＴＴＮダウンストリームビクティムに導入されるＦＥＸＴが、式（４）を使用することによってＦＴＴＢキャビネットにおけるＤＳＬモデムによってＦＴＴＮダウンストリームビクティムに導入されるＦＥＸＴと実質的に等価であるようにＦＴＴＮ下り信号のＰＳＤ（パワースペクトル密度）を形成するよう構成されることもできる。
【００３４】
図２は、本発明の一実施例による、形成されたＰＳＤビットレート曲線２０２および形成されていないＰＳＤビットレート曲線２０４を含むグラフ２００を示す。グラフ２００では、下りビットレート軸２０６は下りビットレートの例示的な範囲をメガビット／秒（Ｍｂｐｓ）単位で示し、距離軸２０８は建物の外側に位置するＦＴＴＮキャビネットと建物の中に位置するエンドユーザとの間の距離をキロメートル（ｋｍ）単位で示す。グラフ２００では、形成されたＰＳＤビットレート曲線２０２は、２０個のＦＴＴＮキャビネットの各々（たとえば、図１におけるＦＴＴＮキャビネットＣ１からＣ２０の各々）に位置するＤＳＬモデム（たとえば、ＶＤＳＬモデム）によって達成され得るシミュレートされたビットレートを示し、そこではＤＳＬモデムは、上述の本発明のＦＴＴＮ  ＤＰＢＯ（ダウンストリームパワーバックオフ）形成方法の実施例によって、ＦＴＴＮキャビネットの各々において生じるＦＴＴＮ下り信号のＰＳＤを形成するよう構成される。
【００３５】
グラフ２００では、形成されていないＰＳＤビットレート曲線２０４は、本発明のＦＴＴＮ  ＤＰＢＯ形成方法を使用することなくＤＳＬモデム（たとえば、ＶＤＳＬモデム）によって達成され得るシミュレートされたビットレートを示す。グラフ２００に示されるように、ＦＴＴＮキャビネットが建物の５０メートル以内（すなわち、グラフ２００におけるポイントＣ１）にあるときには、ＦＴＴＮキャビネットにおけるＤＳＬモデムの容量はＦＴＴＮ  ＤＰＢＯ形成を用いる場合よりも本発明のＦＴＴＮ  ＤＰＢＯ形成を用いない場合の方が高い。しかしながら、１００メートルよりも大きい（すなわち、グラフ２００におけるポイントＣ２よりも大きい）ＦＴＴＮキャビネットの場所では、本発明のＦＴＴＮ  ＤＰＢＯ形成方法を使用するよう構成されるＤＳＬモデムは、本発明のＦＴＴＮ  ＤＰＢＯ形成方法を使用せずに構成されたＤＳＬモデムと比較して、より高いビットレート容量をもたらす。なお、グラフ２００に示されるシミュレーションに関して、２００５年３月１７日のｊｊ−１００．１「メタリック伝送システムのためのスペクトル管理（Spectrum Management for Metallic Transmission Systems）」による以下のパラメータが仮定される。そのパラメータとは、０．４ミリメートルのＰＥケーブル、ならびにＦＴＴＮキャビネットＣ１から１個のイントラＦＥＸＴディスターバ、および建物内部のＦＴＴＢキャビネットから４個のインターＦＥＸＴディスターバである。
【００３６】
【数１２】
0004538673.tif 000014
【００３７】
図４は、本発明の一実施例による、ＦＴＴＮ  ＤＳＬシステムにおいてＦＴＴＮ下り信号のＰＳＤを形成するための方法を示すフローチャート４００である。当業者に明らかな特定の詳細および特徴は、図４のフローチャート４００からは割愛されている。たとえば、ステップは１つ以上のサブステップで構成されてもよく、または当該技術分野において公知の専門の機器を伴ってもよい。フローチャート４００に示されるステップ４０２から４０６は本発明の一実施例を記載するのに十分であるが、本発明の他の実施例は、フローチャート４００に示されるステップとは異なるステップを利用してもよい。
【００３８】
【数１３】
0004538673.tif 000015
【００３９】
本発明の上の説明から、本発明の範囲から逸脱することなく本発明の概念を実現するためにさまざまな技術が使用され得ることが明らかである。さらに、特定の実施例を具体的に参照しながら本発明を説明してきたが、本発明の精神および範囲から逸脱することなく形状および詳細に変更がなされ得るであろうことを当業者は認識するであろう。たとえば、本明細書に開示される回路はソフトウェアおよび／またはハードウェアにおいて実現されることができ、ソフトウェアは任意の格納媒体またはメモリに格納され得ることが企図される。上述の実施例はすべての点で例示的であるように考えられ、限定的であるように考えられるべきではない。本発明は本明細書に記載される特定の実施例に限定されるのではなく、本発明の範囲から逸脱することなく多くの再構成例、修正例および代替例が可能であることも理解されるべきである。
【図面の簡単な説明】
【００４０】
【図１】本出願の一実施例による、例示的なＦＴＴＮ（ファイバ・トゥ・ザ・ノード）ＤＳＬ（デジタル加入者線）システムおよび例示的なＦＴＴＢ（ファイバ・トゥ・ザ・ビルディング）ＤＳＬシステムを含むシステムの図である。
【図２】本発明の一実施例による、形成されたＰＳＤ（パワースペクトル密度）を有するＦＴＴＮ下り信号のビットレート曲線を示すグラフである。
【図３】本発明の一実施例による、ＦＴＴＮ下り信号の形成されたＰＳＤ曲線を示すグラフである。
【図４】本発明の一実施例による、ＦＴＴＮ  ＤＳＬシステムにおいてＦＴＴＮ下り信号のＰＳＤを形成するための方法を示すフロー図である。
【符号の説明】
【００４１】
１０４  ディスターバソース
１０８  ＦＴＴＮダウンストリームビクティム
１１６  基準ソース
【図１】
0004538673.tif 000019
【図２】
0004538673.tif 000020
【図３】
0004538673.tif 000021
【図４】
0004538673.tif 000022